(57)【要約】      （修正有）【課題】椅子に座った状態で使用することのできるコタツと、このコタツに使用される暖房効率の高い椅子を提供する。【解決手段】コタツを、一対の側面板１８および背面板１６から構成される壁面と天板１２および底板１４から形成される筐体の内部に暖房器４０を設置し、前記の天板上に回動自在に甲板２０を重置し、前記の天板と甲板に上掛けの一辺を挟着させ、天板から垂れ下がった裾を側面板に固定する構成とする一方、椅子を、座板の周縁部から下方向に垂設される連続壁状の脚部５４からなり、かつ、前記の脚部を平板状の台６０上に固着し、前記の台が平板状の下敷き上を一方向にのみ移動できるように構成した。【選択図】図２
0003117952.tif 000002
【実用新案登録請求の範囲】
【請求項１】
矩形の一対の側面板および矩形の背面板から構成され一方が開放された平面視がコの字状の壁体と、該一対の側面板上に架け渡されて固着された天板とにより形成された天板下空間内に暖房器が設置され、
前記天板上に重置され該天板と略同形の甲板が該天板の前記背面板側の周縁部または前記背面板の上縁部に回動自在に枢着または蝶着され、
前記甲板と前記天板との間で保温用シートの一辺が着脱自在に挟着される、ことを特徴とする机式コタツ。
【請求項２】
前記天板上には少なくとも１つの凹部が前記背面板に平行に形成され前記甲板の該天板に相対する面には少なくとも１つの凸部が前記背面板に平行に形成されて、前記凹部と前記凸部とが互いに嵌合し、
一対の前記側面板はその外面に固定具を具え、
前記保温用シートは前記凹部および前記凸部に挟着され、前記天板から垂下される前記保温用シートは前記固定具により前記側面板の外面に固定される、ことを特徴とする請求項１に記載の机式コタツ。
【請求項３】
前記固定具は前記甲板の前端側部と前記側面板の背面側下部とを連結する挟着用紐からなり、
前記保温用シートの裾部は前記側面板と前記挟着用紐とにより挟まれて固定される、ことを特徴とする請求項２に記載の机式コタツ。
【請求項４】
前記側面板の下部には一対の前記側面板間の全域にまたは背面部近傍に底板が架け渡されて固着され、
前記暖房器は前記底板上、前記天板裏面または前記背面板の内面に固着される、ことを特徴とする請求項１ないし請求項３のいずれかに記載の机式コタツ。
【請求項５】
座板と該座板の周縁部から下方向に垂設される連続壁状の脚部からなり、前記脚部は少なくとも背面部および両側面部が囲繞されている、ことを特徴とする請求項１ないし請求項４のいずれかに記載の机式コタツに使用する椅子。
【請求項６】
前記脚部は平板状の台上に固着され、
前記台はその裏面に固着された複数個の全方向に移動可能な自在型キャスターまたは前後方向に移動可能な固定型キャスターを具え、
全方向にまたは前後方向に移動可能である、ことを特徴とする請求項５に記載の椅子。
【請求項７】
前記固定型キャスターを具える前記台は移動自在に平板状の下敷き上に載置され、
前記下敷きの前記台の移動方向に平行な両側縁には一対のガイドレールが固着され、
前記台裏面の移動方向に直交する前端縁には前記一対のガイドレールとは僅かなクリアランスを有する仕切り板が垂設され、
前記台は前記ガイドレールにガイドされて前後方向に移動する、ことを特徴とする請求項６に記載の椅子。
【請求項８】
前記台上には水平方向に回動する回転盤が取着され、
前記椅子が前記回転盤上に固着されることにより前記回転盤を介して前記台上に固着されている、ことを特徴とする請求項６または請求項７に記載の椅子。
【考案の詳細な説明】
【技術分野】
【０００１】
本考案は、下半身全体を暖めることのできる机式のコタツおよびこの机式のコタツに使用される椅子に関する。
【背景技術】
【０００２】
従来から使用されている暖房具にコタツがある。このコタツは畳に座る日本の生活習慣から生まれたものであり、畳の上に足を折り曲げて座る動作は膝、脚、腰に負担が掛かることから、近年では、椅子に座る習慣を持つ者の方が畳に座る習慣を持つ者よりも多くなっている。このような生活習慣の変化を背景として、机に暖房器具を組み込んだ考案が提案されている。
【０００３】
たとえば、実開平７−２５８４１号公報に開示された考案は、「冬場のイス掛け机使用時の足元の冷えを予防する」ことを目的としていて、「イス掛け用机の下に電熱器を設け、机の下の背面、左右側面を壁等で覆う」構成とすることにより、その目的を達成しようとしたものである。
【特許文献１】実開平７−２５８４１号公報
【考案の開示】
【考案が解決しようとする課題】
【０００４】
しかしながら、実開平７−２５８４１号公報に開示された考案は、机使用時の足元の冷えを予防するとはいっても、壁等に覆われていない机の前面から隙間風が入り込んだり、電熱器で暖められた暖気が机の前面から逃げてしまい効率的に下半身全体を暖めることはできない。
一方で、従来から在るコタツには、下半身全体をわずかなエネルギーで暖めることができるというメリットがある。
【０００５】
そこで、本考案は、従来から在るコタツのメリットを活かし、かつ、椅子に座る習慣に配慮した、椅子に座った状態で使用することのできるコタツと、このコタツに使用される暖房効率の高い椅子を提供することを目的とする。
【課題を解決するための手段】
【０００６】
上記課題を解決するために、請求項１に係る机式コタツは、矩形の一対の側面板および矩形の背面板から構成され一方が開放された平面視がコの字状の壁体と、該一対の側面板上に架け渡されて固着された天板とにより形成された天板下空間内に暖房器が設置され、前記天板上に重置され該天板と略同形の甲板が該天板の前記背面板側の周縁部または前記背面板の上縁部に回動自在に枢着または蝶着され、前記甲板と前記天板との間で保温用シートの一辺が着脱自在に挟着される、ことを特徴としている。
また、請求項２に係る机式コタツは、請求項１に記載の机式コタツであって、前記天板上には少なくとも１つの凹部が前記背面板に平行に形成され前記甲板の該天板に相対する面には少なくとも１つの凸部が前記背面板に平行に形成されて、前記凹部と前記凸部とが互いに嵌合し、一対の前記側面板はその外面に固定具を具え、前記保温用シートは前記凹部および前記凸部に挟着され、前記天板から垂下される前記保温用シートは前記固定具により前記側面板の外面に固定される、ことを特徴としている。
そして、請求項３に係る机式コタツは、請求項２に記載の机式コタツであって、前記固定具は前記甲板の前端側部と前記側面板の背面側下部とを連結する挟着用紐からなり、前記保温用シートの裾部は前記側面板と前記挟着用紐とにより挟まれて固定される、ことを特徴としている。
さらに、請求項４に係る机式コタツは、請求項１ないし請求項３のいずれかに記載の机式コタツであって、前記側面板の下部には一対の前記側面板間の全域にまたは背面部近傍に底板が架け渡されて固着され、前記暖房器は前記底板上、前記天板裏面または前記背面板の内面に固着される、ことを特徴としている。
また、請求項５に係る椅子は、請求項１ないし請求項４のいずれかに記載の机式コタツに使用する椅子であって、座板と該座板の周縁部から下方向に垂設される連続壁状の脚部からなり、前記脚部は少なくとも背面部および両側面部が囲繞されている、ことを特徴としている。
そして、請求項６に係る椅子は、請求項５に記載の椅子であって、前記脚部は平板状の台上に固着され、前記台はその裏面に固着された複数個の全方向に移動可能な自在型キャスターまたは前後方向に移動可能な固定型キャスターを具え、全方向にまたは前後方向に移動可能である、ことを特徴としている。
さらに、請求項７に係る椅子は、請求項６に記載の椅子であって、前記固定型キャスターを具える前記台は移動自在に平板状の下敷き上に載置され、前記下敷きの前記台の移動方向に平行な両側縁には一対のガイドレールが固着され、前記台裏面の移動方向に直交する前端縁には前記一対のガイドレールとは僅かなクリアランスを有する仕切り板が垂設され、前記台は前記ガイドレールにガイドされて前後方向に移動する、ことを特徴としている。
また、請求項８に係る椅子は、請求項６または請求項７に記載の椅子であって、前記台上には水平方向に回動する回転盤が取着され、前記椅子が前記回転盤上に固着されることにより前記回転盤を介して前記台上に固着されている、ことを特徴としている。
【考案の効果】
【０００７】
請求項１に係る考案では、矩形の一対の側面板および矩形の背面板から構成されるコの字状の壁体と、一対の側面板上に架設される天板と、部屋の床面とにより一方にのみ開放された空間が形成されて、その空間内に暖房器が設置されているから、従来のコタツとは異なり一方にのみ暖房器で暖められた暖気が放出される。したがって、一人用のコタツとしての暖房効率は高い。
そして、甲板と天板との間で保温用シートの一辺が着脱自在に挟着されるようになっているから、従来のコタツ同様、簡単に上掛けを掛けることができる。なお、ここにいう保温用シートとは上掛けや毛布などの保温性能の高いシートをいう。
また、保温用シートは、従来のコタツとは異なり、開放された面と一対の側面板側の三面のみ覆い背面板側を覆ってはいないから、背面板側はすっきりとした状態で場所をとらず、たとえば、背面板を部屋の壁面に密着させることができ、背面板側のスペースを有効に使用することができる。
なお、机式コタツはその大きさを様々に変えることができ、たとえば、小さめに形成することにより、書斎机や事務机の甲板下に設置して使用することもできるし、大きめに形成することにより机式コタツ自体を机として使用することもできる。
【０００８】
また、請求項２に係る考案では、保温用シートを天板の凹部と甲板の凸部に挟着するようになっているから、保温用シートは強固に机式コタツに固定することができる。また、机式コタツの使用者は開放された面から椅子に座った状態で膝から下を机式コタツ内に挿入させ使用することになるが、天板から垂下される裾部が側面板の外面に固定されるので、膝の両脇から隙間風が入り込んだり、暖房器で暖められた暖気が逃げることはない。
【０００９】
そして、請求項３に係る考案では、固定具を甲板の前端側部と側面板の背面側下部とを連結する挟着用紐としている。固定具としては、たとえば、雌型および雄型からなる一対の面ファスナーの一方を側面板の外面に固着し、面ファスナーの他方を保温用シートに固着して、雌型および雄型の面ファスナーを相互に嵌着させても良く、あるいは、鉄板を側面板の外面に固着し、マグネットテープを保温用シートに固着して、鉄板とマグネットテープを相互に吸着させても良いが、いずれの方法でも保温用シート側に固定具の部材を固着する必要が生ずる。しかし、固定具を挟着用紐とした場合には、保温用シート側に対する細工は不要である。
【００１０】
さらに、請求項４に係る考案では、底板を設けている。このため、机式コタツの剛性が高くなり、机式コタツがより頑丈になるばかりでなく、底板上に暖房器を載置することができる。なお、底板は一対の側面板の全域に架け渡されて固着されても良いが、後述する机式コタツに使用する椅子の台が机式コタツ内に挿入されるのに障害となる場合には、底板の開放面側を切り欠いて背面部近傍のみとすることもできる。
【００１１】
請求項５に係る考案では、机式コタツに使用する椅子の脚部が少なくとも背面部および両側面部が囲繞されている連続壁状としている。このため、暖房器で暖められた暖気は椅子の脚部から逃げることもなく、椅子の脚部から隙間風が入り込むこともなく、暖房器で暖められた暖気は効率的に使用者の下半身全体を暖めることができる。また、椅子の脚部は全面を囲繞しても良く、前方のみを開放して囲繞しても良い。なお、本考案において、前方とは、使用者が本考案に係る椅子に腰掛けた時に使用者の膝頭が向く方向をいい、後方とは、使用者が本考案に係る椅子に腰掛けた時に使用者の背中が向く方向をいう。したがって、後述する台の移動方向である前後方向とは、該台上に固着された椅子を基準とした方向であって、その向きは前述した前方および後方と同一である。
【００１２】
また、請求項６に係る考案では、椅子の脚部は自在型キャスターまたは固定型キャスターを具えた平板状の台上に固着されているので、椅子を固定した位置で使用するだけではなく、必要に応じて簡単に移動して使用することができる。なお、自在型キャスターとは、キャスターの向きが自在に変わることにより、全方向に移動できるようになっているキャスターをいい、固定型キャスターとは、キャスターの向きが固定されて一方向にのみ移動できるようになっているキャスターをいう。
【００１３】
さらに、請求項７に係る考案では、椅子の脚部が固着された台は、平板状の下敷き上を前後に移動するようになっているから、畳や絨毯のような柔らかい床であっても、固定型キャスターが床にのめり込むことなくスムーズに移動することができる。また、台の下面の前端縁には一対のガイドレールとは僅かなクリアランスを有する仕切り板が垂設されていて、この仕切り板により、下敷き上に保温用シートの裾が垂れても椅子の脚部に絡まることはない。
【００１４】
また、請求項８に係る考案では、台上には水平方向に回動する回転盤が取着され、その回転盤上に椅子が固着されているから、当該椅子は自在に回転してその向きを変えることができ、椅子に座ったり椅子から立ち上がったりすることが、極めて容易にできる。
【考案を実施するための最良の形態】
【００１５】
本考案を実施するための最良の形態に係る実施例１ないし実施例３について、図１ないし図５に基づいて説明する。ここで、図１は、実施例１に係る机式コタツおよび実施例２に係る椅子の使用状況図、図２は実施例１に係る机式コタツおよび実施例２に係る椅子の側面図、図３は実施例２に係る椅子の正面図、図４は実施例３に係る椅子の正面図、図５は実施例４に係る机式コタツと椅子の背面斜視図であり、符号１は実施例１に係る机式コタツ、符号２は実施例２に係る椅子、符号３は実施例３に係る椅子、符号１０は筐体、符号１２は天板、符号１４は底板、符号１６は背面板、符号１８は側面板、符号２０は甲板、符号２２は凹部、符号２４は凸部、符号２６は枢着金具、符号３０は固定具、符号３２は挟着用紐、符号３４は突起板、符号３６は挿通孔、符号３８はリング金具、符号４０は暖房器、符号４２は上掛け、符号５０は椅子本体、符号５２は座板、符号５４は脚部、符号５６は背板、符号５８は開口部、符号６０は台、符号６２は固定式キャスター、符号６４は仕切り板、符号６６はガイドレール、符号６８は回転盤、符号７０は下敷き、符号７２はテーブル板である。
【００１６】
まず、実施例１に係る机式コタツの構成について、図１および図２を基に説明する。
机式コタツ１は、大別して筐体１０、甲板２０および暖房器４０から構成されている。そして、筐体１０は背面板１６および２枚の側面板１８、１８により形成される平面視がコの字状の壁体と、このコの字状の壁体の上端部および下端部に架け渡された天板１２および底板１４とから構成されていて、いわば上方が開放された直方体の箱を横倒しにした形状を呈している。
【００１７】
筐体１０の天板１２と平面視において略同形の甲板２０と天板１２とが背面板１６側の側縁部で枢着されていて、天板１２に対して甲板２０が回動自在となっている。甲板２０と天板１２とは枢着金具２６を介して枢着されている。そして、枢着金具２６は天板１２側に固着された枢（とぼそ）と該枢に挿し入れられる甲板２０側に固着された戸まらから構成されているが、甲板２０と天板１２とを蝶番で蝶着しても良いことは勿論である。
また、天板１２の表面には２本の細長い板を所定の間隔を隔てて側面板１８、１８間に架け渡すように固着することにより２条の凹部２２、２２が形成される一方、甲板２０の天板１２側の面には３本の細長い板を所定の間隔を隔てて背面板１６に平行に架け渡すことにより２条の凸部２４、２４が形成されて、凹部２２と凸部２４とが互いに嵌合するようになっている。
なお、甲板の形状は、甲板２０を平板とし当該平板の天板１２側の面に複数本の細長い板を所定の間隔を隔てて甲板２０に固着しても良いが、本実施例のように甲板２０を簀子（すのこ）板のようにして、複数本の細長い板の間を空けて所定の間隔に並べるようにしても良い。
【００１８】
固定具３０は弾力性を有する挟着用紐３２、側面板１８の略中央部に固着された直方体の突起板３４、甲板２０の前端側部に穿設された挿通孔３６および側面板１８の背面側下部に固着されたリング金具３８とから構成されている。挟着用紐３２の一端は挿通孔３６を挿通して結着され、他端にはリング金具３８に掛着可能なフック（図示外）が結着されている。そして、前記のフックをリング金具３８に掛着したときには、突起板３４の略中心部を挟着用紐３２が横切るようになっている。
【００１９】
暖房器４０は天板１２の裏面に固着されていて、図示外の電気コードが暖房器４０から延伸して部屋内のコンセントに連結できるようになっている。なお、暖房器４０は天板１２の裏面ではなく、底板１４上に載置しても、背面板１６の内面に固着しても良いことは勿論である。また、暖房器２０には、コタツ用のヒーターユニットが最適であるが、たとえば、電熱器などのような他の暖房器を使用することもできる。
【００２０】
つぎに、実施例２に係る椅子の構成について、図１ないし図３を基に説明する。椅子２は、大別して、椅子本体５０、椅子本体５０が載置される台６０、および台６０がその表面を移動する下敷き７０とから構成されている。
【００２１】
椅子本体５０は平面視が円形の座板５２、座板５２を支持する脚部５４および背板５６とから構成されていて、脚部５４は座板５２の周縁部から下方向に垂設された連続する壁状となっている。そして、椅子本体５０の前面の脚部５４には開口部５８が形成されていて、脚部５４により形成された座板５２下の空間と外部とが開口部５８を介して連通している。なお、座板５２は、円形以外の矩形や台形等とすることも可能であることは勿論である。
また、開口部５８を形成しないで、座板５２下を全て囲繞しても良く、その場合は座板５６を開閉自在として座板５２下の空間を収納スペースとすることもできる。
【００２２】
台６０および下敷き７０は平板状を呈していて、台３２の裏面には複数個の固定式キャスター６２が固着されている。この固定式キャスター３４、３４、・・・はすべて同一方向に移動するように固着されていて、移動方向は、本考案における前後方向に一致するようになっている。また、台３２の裏面の前端縁、後端縁および両側縁に沿って仕切り板６４が垂設されている。
そして、下敷き７０の台６０の移動方向に平行な側縁部には、一対のガイドレール６６、６６が固着されていて、このガイドレール６６の断面は矩形を呈している。
【００２３】
台６０を下敷き７０上に載置したときには、ガイドレール６６、６６の内側の面と前端縁および後端縁に垂設された仕切り板３６の両端とはわずかなクリアランスを有し、ガイドレール６６の内側の面と両側縁に垂設された仕切り板３６の面とはわずかなクリアランスを有している。また、仕切り板３６の下端部と下敷き７０の表面との間もわずかなクリアランスを有している。このため、台６０は下敷き７０上を、両側縁に垂設された仕切り板３６がガイドレール６６に摺動しながら前後方向に移動できるようになる。なお、図３では、一対のガイドレール６６、６６上に台６０の両側縁が突き出た形状となっているが、台６０の両側縁を突き出させることなく一対のガイドレール６６、６６の側面手前として、台６０を一対のガイドレール６６、６６内に収納するようにしても良い。
また、ガイドレール４６の断面を上方が開放された溝形とし、台３２の移動方向に平行な側縁部近傍に、丸棒状の車軸とその先端に回動自在に取着された回動方向が水平の車輪とから構成されるガイドローラを垂設し、ガイドレール４６にガイドローラを嵌合させるようにしても良い。この場合、ガイドローラは、ガイドレール４６のフランジ面に当接してガイドローラの車輪が回転しながら台６０は下敷き７０上を前後方向に移動することになる。
【００２４】
つぎに、机式コタツ１と椅子２を組み合わせて使用したときの作用について説明する。
机式コタツ１を部屋の所定の位置に設置し、机式コタツ１の開放された面に向かい合うように椅子２を設置する。この場合、椅子２の移動方向は机式コタツ１に対して直交することになる。
【００２５】
そして、甲板２０を開き、上掛け４２の一辺の中央部分を甲板２０の根元まで差し込んで甲板２０を閉じる。このようにすることにより上掛け４２は天板１２の凹部２２と甲板２０の凸部２４とにより強固に挟着され、多少上掛け４２を引張った程度では机式コタツ１から抜け落ちることはない。
さらに、上掛け４２の天板１２から垂れ下がった部分は、一端を挿通孔３６に結着された挟着用紐３２を上掛け４２の上から押さえるようにして挟着用紐３２の先端のフックをリング金具３８に掛着させることにより固定される。そして、側面板１８と挟着用紐３２により挟着された上掛け４２は、突起板３４により、さらに強固に挟着されることになる。なお、机式コタツ１と椅子２を組み合わせて使用するときに、突起板３４を側面板１８に固着させずに、当て板として張設させた挟着用紐３２と上掛け４２との間に挿入しても良い。
このようにして、机式コタツ１と椅子２をセットすることができる。
【００２６】
机式コタツ１と椅子２を使用するときには、暖房器４０から延伸する電気コード（図示外）の先端のプラグを室内のコンセントに差込む。そして、使用者は椅子２に腰掛けた後、上掛け４２を膝にかけて暖房器４０のスイッチを入れると、暖房器４０は天板下空間を暖めるとともに、上掛け４２で覆われた使用者の腰から下の部分も満遍なく暖める。使用中の椅子２を前後に移動させるには、使用者の足を台６０の両側の床に置き、つま先で床を蹴れば、下敷き７０上をガイドレール６６に沿って簡単に前後に移動させることができる。
なお、椅子２の座板５２下の空間は、収納スペースとして使用することができ、あるいは、この収納スペースに暖房器４０とは別の暖房器を設置することにより、使用者の腰から下の部分をさらに強く暖めることができる。
【００２７】
つぎに、実施例３に係る椅子について、主に図４を基に説明する。椅子３は、椅子２の構成および作用と略同様であるが、椅子３は、椅子２の構成要素にさらに付加した構成要素を有しているので、ここでは、付加した構成要素について説明する。
【００２８】
椅子３の付加された構成要素は、台６０上に載置した回転盤６８である。この回転盤６８は台６０に対して水平方向に回動自在に取着されていて、いわばターンテーブル状となっている。この回転盤６８は概ね座板５２の形状と同様になっていて、円形であっても矩形であっても良いことは勿論である。
台６０と椅子３との間に回転盤６８が介在することにより、椅子３はその場で左右に回転することができる。すなわち、使用前あるいは使用中の椅子３を前後に移動させるとともに、移動させたその位置で椅子３を左右に回転させれば、使用者はきわめて簡単に椅子３に座ったり椅子３から立ち上がったりすることができる。
【００２９】
なお、実施例１に係る机式コタツと実施例３に係る椅子とを組み合わせた作用については、実施例１に係る机式コタツと実施例２に係る椅子とを組み合わせた作用と略同様であるのでその説明を省略する。
【００３０】
そして、実施例４に係る机式コタツと椅子について、主に図５を基に説明すると、実施例４は実施例１ないし実施例３に係る机式コタツおよび椅子に使用される上掛け４２に関するものである。すなわち、実施例１ないし実施例３に係る机式コタツおよび椅子に使用される上掛け４２を椅子本体５０の背板側に巻回し、その裾部分を相互に縫着（図示）、掛着あるいは係着等したものである。そして、この上掛け４２の裾部分を相互に縫着等したときに、上掛け４２の天板１２から垂れ下がった側面板１８の背面側下部の部分が、引き摺られてまくれることもあり、このような場合には、上掛け４２の天板１２から垂れ下がった裾部分をリング金具３８に結着させることにより裾部分のまくれを防止することができる。
このように上掛け４２を椅子本体５０の背板側に巻回して相互に縫着することにより、上掛け４２は机式コタツ１と使用者の下半身全体を隙間なく覆い、暖房効果はより一層高められる。
なお、図５に示すように、机式コタツ１上にテーブル板７２を載置することにより、机式コタツ１の使い勝手は向上する。
【図面の簡単な説明】
【００３１】
【図１】図１は、実施例１に係る机式コタツおよび実施例２に係る椅子の使用状況図である。
【図２】図２は、実施例１に係る机式コタツおよび実施例２に係る椅子の側面図である。
【図３】図３は、実施例２に係る椅子の正面図である。
【図４】図４は、実施例３に係る椅子の正面図である。
【図５】図５は、実施例４に係る机式コタツと椅子の背面斜視図である。
【符号の説明】
【００３２】
１  実施例１に係る机式コタツ
２  実施例２に係る椅子
３  実施例３に係る椅子
１０  筐体
１２  天板
１４  底板
１６  背面板
１８  側面板
２０  甲板
２２  凹部
２４  凸部
２６  枢着金具
２８  挟着用紐
３０  固定具
３２  挟着用紐
３４  突起板
３６  挿通孔
３８  リング金具
４０  暖房器
４２  上掛け
５０  椅子本体
５２  座板
５４  脚部
５６  背板
５８  開口部
６０  台
６２  固定式キャスター
６４  仕切り板
６６  ガイドレール
６８  回転盤
７０  下敷き
７２  テーブル板
【図１】
0003117952.tif 000003
【図２】
0003117952.tif 000004
【図３】
0003117952.tif 000005
【図４】
0003117952.tif 000006
【図５】
0003117952.tif 000007
【手続補正書】
【提出日】平成17年10月31日(2005.10.31)
【手続補正１】
【補正対象書類名】明細書
【補正対象項目名】００２３
【補正方法】変更
【補正の内容】
【００２３】
台６０を下敷き７０上に載置したときには、ガイドレール６６、６６の内側の面と前端縁および後端縁に垂設された仕切り板３６の両端とはわずかなクリアランスを有し、ガイドレール６６の内側の面と両側縁に垂設された仕切り板３６の面とはわずかなクリアランスを有している。また、仕切り板３６の下端部と下敷き７０の表面との間もわずかなクリアランスを有している。このため、台６０は下敷き７０上を、両側縁に垂設された仕切り板３６がガイドレール６６に摺動しながら前後方向に移動できるようになる。なお、図３では、一対のガイドレール６６、６６上に台６０の両側縁が突き出た形状となっているが、台６０の両側縁を突き出させることなく一対のガイドレール６６、６６の側面手前として、台６０を一対のガイドレール６６、６６内に収納するようにしても良い。
また、ガイドレール６６の断面を上方が開放された溝形とし、台３２の移動方向に平行な側縁部近傍に、丸棒状の車軸とその先端に回動自在に取着された回動方向が水平の車輪とから構成されるガイドローラを垂設し、ガイドレール６６にガイドローラを嵌合させるようにしても良い。この場合、ガイドローラは、ガイドレール６６のフランジ面に当接してガイドローラの車輪が回転しながら台６０は下敷き７０上を前後方向に移動することになる。
【手続補正２】
【補正対象書類名】明細書
【補正対象項目名】００３２
【補正方法】変更
【補正の内容】
【００３２】
１  実施例１に係る机式コタツ
２  実施例２に係る椅子
３  実施例３に係る椅子
１０  筐体
１２  天板
１４  底板
１６  背面板
１８  側面板
２０  甲板
２２  凹部
２４  凸部
２６  枢着金具
３０  固定具
３２  挟着用紐
３４  突起板
３６  挿通孔
３８  リング金具
４０  暖房器
４２  上掛け
５０  椅子本体
５２  座板
５４  脚部
５６  背板
５８  開口部
６０  台
６２  固定式キャスター
６４  仕切り板
６６  ガイドレール
６８  回転盤
７０  下敷き
７２  テーブル板
【手続補正３】
【補正対象書類名】図面
【補正対象項目名】図２
【補正方法】変更
【補正の内容】
【図２】
0003117952.tif 000008